(57)【特許請求の範囲】
【請求項１】
写真プリントを作成するための画像データを取得する画像入力手段と、前記取得した画像データに対する各種判定を行う画像判定部と、前記画像データに基づいて写真プリントを作成するプリント処理部とを備え、前記画像判定部による判定処理中にテスト焼きプリントを作成可能に構成した写真処理装置であって、
前記画像判定部による第１オーダーの判定処理においてテスト焼きプリント処理が実行される場合に、第１オーダーの判定処理を中断し、第２オーダーの判定処理を可能にする判定処理中断手段を備えることを特徴とする写真処理装置。
【請求項２】
前記判定処理中断手段は、
前記第１オーダーの判定処理が中断された場合に、テスト焼きプリント対象以降の画像データを格納手段に格納し、
前記中断された判定処理を再開する場合に、テスト焼きプリント対象の画像データから判定処理が再開されるように構成したことを特徴とする請求項１に記載の写真処理装置。
【請求項３】
前記判定処理中断手段は、
前記第１オーダーの判定処理において、テスト焼きプリント対象の画像データ以外の全画像データの判定処理後に、テスト焼きプリント処理を実行して、当該判定処理を中断し、
前記中断された判定処理を再開する場合に、テスト焼きプリント対象の画像データのみの判定処理が再開されるように構成したことを特徴とする請求項１に記載の写真処理装置。
【請求項４】
前記テスト焼きプリント処理の終了後、当該テスト焼きプリント処理が終了した旨の終了情報を通知する通知部をさらに備えた請求項１から請求項３のいずれか１項に記載の写真処理装置。
【請求項５】
前記通知部は、テスト焼きプリントが完了した後所定期間経過しても、中断されたオーダーの判定処理が再開されなかった場合に、オーダーとオーダーの処理の間に終了情報を通知する請求項４に記載の写真処理装置。
【発明の詳細な説明】
【技術分野】
【０００１】
本発明は、写真プリントを作成するための画像データを取得し、取得した画像データに対する各種判定を行う画像判定部と、当該画像データに基づいて、写真プリントを作成するプリント処理部とを備える写真処理装置に関する。より詳細には、画像判定部による判定処理においてテスト焼き処理が行われる写真処理装置に関するものである。
【背景技術】
【０００２】
写真プリントを作成する写真処理装置は、適宜の画像形成媒体から画像データを取得し、取得した画像データに適宜画質補正を施して、写真プリントを作成している。この画質補正パラメータの設定は、モニター上に表示されたサムネイル画像（縮小画像）を参照して決定される。このように写真プリント処理の前に、画像データに画質補正を施すための補正パラメータを設定する処理をプレジャッジといい、詳細には、色・濃度補正、シャープネス補正、赤目補正等の各種補正パラメータを設定する処理である。しかし、モニター上では縮小画像でしか確認できないし、実際の写真プリントとモニター表示されたものとの色再現に若干の差が生じる。このような場合に、微細な補正パラメータを決定する方法として、パラメータを数段階に分けて設定し、テスト的にプリントする方法が採られている。特に、人物像を含む画像に対して色・濃度等を適切に補正することが要望されている。テスト的プリント処理を実行できる装置として特許文献１が公知である。以下、「テスト的プリント」を「テスト焼きプリント」という。
【０００３】
【特許文献１】特開２００４−１５９０５９号公報
【発明の開示】
【発明が解決しようとする課題】
【０００４】
しかしながら、テスト焼きプリント処理を実行すると、その対象となるコマ画像の補正パラメータをテスト焼きプリント処理が終了するまで決定できないため、他のコマ画像に対するプレジャッジ処理や次のオーダーのプレジャッジ処理を行えなかった。すなわち、テスト焼きプリント処理の間は、プレジャッジ処理が行えなかったために、装置全体からみてプレジャッジ処理の処理効率の低下を招くものとなっていた。
【０００５】
本発明は上記実情に鑑みてなされたものであり、その課題は、テスト焼きプリント処理する場合に、他の画像データのプレジャッジ処理を可能にして、全体的なプレジャッジ処理効率を向上する写真処理装置を提供することである。
【課題を解決するための手段】
【０００６】
上記課題を解決するため本発明に係る写真処理装置は、
写真プリントを作成するための画像データを取得する画像入力手段と、取得した画像データに対する各種判定を行う画像判定部と、画像データに基づいて写真プリントを作成するプリント処理部とを備え、画像判定部による判定処理中にテスト焼きプリントを作成可能に構成した写真処理装置であって、
画像判定部による第１オーダーの判定処理においてテスト焼きプリント処理が行われる場合に、第１オーダーの判定処理を中断し、格納手段に格納されている第２オーダーの判定処理を可能にする判定処理中断手段を備えることを特徴とする。
【０００７】
かかる構成による写真処理装置の作用・効果を説明する。画像データを取得し、取得された画像データは、通常オーダー単位で判定処理される。ここで、判定処理は、上述のプレジャッジ、プリントサイズ、プリント枚数等の各種判定を行う処理である。かかる判定処理において、任意のコマ画像に対しテスト焼きプリントを実行する。この際に、当該オーダーの判定処理を中断する（例えば、中断キーを指示する等して中断指示する）。この中断により、次のオーダーの画像データを格納手段又は画像入力手段から読み出し、判定処理を行えるように構成される。よって、テスト焼きプリント処理中でも異なるオーダーの判定処理が可能となり、全体的な判定処理効率を向上することができる。
【０００８】
また、本発明において、判定処理中断手段は、
第１オーダーの判定処理が中断された場合に、テスト焼きプリント対象以降の画像データを格納手段に格納し、
中断された判定処理を再開する場合に、テスト焼きプリント対象の画像データから判定処理が再開されるように構成することが好ましい。
【０００９】
かかる構成によれば、テスト焼きプリント中に中断されたオーダーの画像データにおいて、当該テスト焼きプリント対象以降の画像データを格納手段に格納する。中断されたジャッジ処理を再開する場合には、テスト焼きプリント対象の画像データから判定処理が再開されるように構成される。よって、中断されたオーダーを選択するだけで、テスト焼きプリント対象の画像以降の画像データに対して判定処理が行えるので、既に判定処理した画像データに対して重複して判定処理するようなことがない。
【００１０】
また、本発明において、判定処理中断手段は、
第１オーダーの判定処理において、テスト焼きプリント対象の画像データ以外の全画像データの判定処理後に、テスト焼きプリント処理を行い、当該判定処理を中断し、
中断された判定処理を再開する場合に、テスト焼きプリント対象の画像データのみの判定処理が再開されるように構成することは、他の好ましい実施態様である。
【００１１】
かかる構成によれば、テスト焼きプリント処理を開始する前に、テスト焼きプリント対象の画像以外の画像データについて判定処理を行える。そして、その後に、テスト焼きプリント処理を開始し、その判定処理を中断して、他のオーダーの判定処理を行える。そして、中断した判定処理を再開すると、テスト焼きプリント処理対象の画像データのみについて判定処理を行うだけでよいので、再開した後の判定処理時間を短くでき、結果、装置全体の処理効率が向上される。また、格納手段に格納される画像データのデータ量を少なくできるので、格納手段の記憶容量を圧迫しないので好ましい。
【００１２】
また、本発明において、通知部によって、テスト焼きプリント処理の後、当該テスト焼きプリント処理が終了した旨の終了情報を通知することが好ましい。
【００１３】
また、通知部は、テスト焼きプリントが完了した後所定期間経過しても、中断されたオーダーの判定処理が再開されなかった場合に、オーダーとオーダーの処理の間に終了情報を通知するように構成されることは好ましい実施態様である。
【００１４】
かかる構成によれば、テスト焼きプリント処理が終了したことを認識できるので、再開処理をその通知後に即座に行える。さらに、オーダーを中断したことを忘れていたとしても、この通知によって、中断していた事実を把握でき、中断されたオーダーを再開することができる。
【００１５】
本発明において、「オーダー」は、写真プリントを作成する場合の注文単位である。「１オーダー」は、フィルム１本分あるいは記録メディア１個分についてのプリント注文に係る画像データ群を指すものであるが、これに限定されるものではなく、１オーダーの概念はオペレータにより適宜設定することができる。以下、同様である。
【発明を実施するための最良の形態】
【００１６】
本発明に係る写真処理装置の好適な実施形態を図面を用いて説明する。図１は、写真処理装置を含む写真処理システム全体の構成を示す模式図である。
【００１７】
＜システムの全体構成＞
図１において、写真処理装置１００は、取得されたデジタルの画像データに基づいて、写真プリントを作成する機能を有する。画像データは、写真処理装置１００に設けられるフィルムスキャナー（画像入力手段の一つに相当する）から取得される現像済みネガフィルムのコマ画像の画像データや、ネットワーク経由で送信されてくる画像データなどがあげられる。
【００１８】
受付端末２０は、店頭に設置され、デジタルカメラの記録メディアやその他の記録メディアに格納された画像データを受け付けることができる。記録メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記録メディアを挿入し、プリント処理の対象となる画像データの選択、プリント枚数、プリントサイズの設定などを行うことができる。もちろん、店員が受付端末２０を操作するようにしてもよい。
【００１９】
記録装置４０は、写真処理装置１００が取得した画像データをＣＤ−Ｒ、ＤＶＤ−Ｒ等の記録メディアに書き込む機能及び記録メディアから画像データを読み出す機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００２０】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００２１】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２は、主としてネットワーク経由で送信されてくる画像データを取得する。フィルムスキャナー１及び画像取得部２は、画像入力手段に相当する。ネットワークを介して通信を行なうために通信制御部３が設けられる。画像取得部２が取得する画像データは、デジタルカメラの記録メディアに格納されていた画像データや、インターネットサーバー６０に保存されていた画像データである。なお、写真処理装置１００自身に記録メディアを装着することができるようにし、直接記録メディアから画像データを取得できるように構成してもよい。
【００２２】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃが主たる機能として設けられており、これを図２を参照しながら説明する。なお、プレジャッジは必ず行なわなければならないものではなく、プレジャッジを省略してプリント処理を行うことも可能である。
【００２３】
図３は、プレジャッジを行なうためのモニター画面の構成例を示す図である。画面には、プリント処理の対象となるコマ画像が６コマごとに表示される。プレジャッジの対象となっているコマ画像は、画像選択枠３０で囲まれた状態となっている。コマ画像のコマ番号はコマ番号表示欄３１に表示される。写真プリントのプリントサイズについては、プリントサイズ表示欄３２に表示される。プリント枚数は、プリント枚数設定欄３３にて設定することができる。色補正データ設定欄３４と、濃度補正データ設定欄３５には、色や濃度の補正データを入力することができる。補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２４】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００２５】
図３に示されるコマ画像は、サムネイル画像であり、取得した画像データを縮小処理することで得られるものである。画像取得部２が取得した画像データの場合は、取得したオリジナルの画像データに基づいてサムネイル画像を作成することができる。これは、サムネイル画像作成部４ｃの機能により提供される。フィルムスキャナー１からネガフィルムの画像データを取得する場合は、ネガフィルムをプレスキャンした画像データに基づいて、サムネイル画像を作成することができる。
【００２６】
ここで、ネガフィルムのスキャニング態様であるプレスキャンと本スキャンについて説明する。プレスキャンとは、現像済みネガフィルムの画像を粗い画素数で読み取る処理のことであり、前述のサムネイル画像を表示させるために行われる。プレジャッジを行う場合は、高解像度の画像データが不要であり、読み取り処理時間を短縮化するために、粗い画素数でスキャニングする。
【００２７】
本スキャンとは、ネガフィルムの各コマ画像を高解像度で読み取るための処理であり、実際に写真プリントを作成するために用いられる画像データである。画質のよい写真プリントを作成するために高解像度でコマ画像を読み取る。また、本スキャンの際には、プリント枚数が０と設定されたコマ画像については、読み取りを行わない。
【００２８】
＜オーダー制御部の構成＞
オーダー制御部５は、プリント処理すべき画像データをオーダー単位に管理する機能を提供する。オーダー登録部５ａは、画像判定部４によりプレジャッジの終了したオーダーデータを記憶装置６（格納手段に相当する）に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダーの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００２９】
なお、オーダーデータとは１オーダー分のデータのことを指すが、１オーダーに含まれる画像データ群と、プレジャッジにより設定された補正データやプリント枚数などのプリントデータ、オーダーを特定するデータ（オーダー識別ＩＤ、顧客の氏名、住所、会員ＩＤなどのデータ）により構成される。ただし、オーダーデータのデータ量は大半が画像データにより決まるため、オーダーデータのデータ量は画像データのデータ量であると考えても問題はない。なお、ネガフィルムから取得した画像データの場合には、本スキャンの画像データのみならずプレスキャンの画像データも合わせてオーダーデータとして保存しておくことが好ましい。
【００３０】
プリント処理制御部５ｂは、プリント処理の対象となるオーダーのオーダーデータをプリント処理するように指令を与える。図４は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、その他のオーダーについてはプリント処理待ちの状態であることが示されている。プリント処理が完了すると、完了済みオーダーの表示欄へと移行し、状態表示もプリント処理完了に変わる。なお、通常、受付Ｎｏに従った順番でプリント処理が行なわれる。
【００３１】
図２に戻り、モニター７は、プレジャッジを行なうための画面（図３参照）やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３２】
画像処理基板９は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００３３】
次に、図２においてプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００３４】
露光エンジン１２は、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００３５】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置（不図示）によりオーダー単位で集積される。
【００３６】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。
【００３７】
判定処理中断手段１８は、画像判定部４による第１オーダーの判定処理においてテスト焼きプリント処理が行われる場合に、第１オーダーの判定処理を中断し、第２オーダーの判定処理を可能にする。また、判定処理中断手段１８は、第１オーダーの判定処理が中断された場合に、テスト焼きプリント対象以降の画像データを格納手段（記憶装置６又は不図示のメモリ等）に格納し、中断された判定処理を再開する場合に、テスト焼きプリント対象の画像データから判定処理が再開されるように構成する。また、判定処理中断手段１８は、第１オーダーの判定処理において、テスト焼きプリント対象の画像データ以外の全画像データの判定処理後に、テスト焼きプリント処理を行い、当該判定処理を中断し、中断された判定処理を再開する場合に、テスト焼きプリント対象の画像データのみの判定処理が再開されるように構成してもよい。
【００３８】
通知部１９は、テスト焼きプリントの写真プリントが排出されたとセンサー制御部１７により判定された場合、モニター７に、テスト焼きプリント処理が終了した旨の終了情報を表示させる。この表示は、例えば、プレジャッジ画面上に、ポップアップ表示で終了情報（例えば、「テスト焼き終了しました」）を表示させることでもよい。また、通知部１９は、テスト焼きプリントが完了した後所定期間経過しても、中断されたオーダーの判定処理が再開されなかった場合に、オーダーとオーダーの処理（例えば、判定処理、プリント処理、フィルム読取処理等）の間に終了情報を通知するように構成してもよい。「所定期間」は、予め設定されている期間であるが、例えば、テスト焼きプリントが装置外に排出されてから例えば、１０分間（任意に設定できる）又は、テスト焼きプリントが装置外に排出されてから、他のオーダーのプリント処理が２つ以上（任意の値に設定できる）実行された場合に通知するように構成してもよく、適宜設定できる。
【００３９】
判定処理中断手段１８、通知部１９は、通常、ソフトウェアで構成され、ＣＰＵ、メモリ等のハードウェア資源と協働して動作するものであるが、専用回路、ファームウエア等を組み合わせて構成してもよい。
【００４０】
＜本発明の処理の手順＞
次に、テスト焼きプリント処理中に判定処理を中断し、他のオーダーの判定処理を行う場合の処理手順を図５及び図６のフローチャートにより説明する。まず、図５の処理手順について以下に示す。ネガフィルムから画像を読みとり、判定処理する場合について説明する。
【００４１】
操作画面（図７参照）でネガフィルムから画像データを読み取る処理を選択し、判定処理を行う（Ｓ１）。図３に示すように、画面には、６コマごとに画像が表示され、色・濃度、プリント枚数、プリントサイズ等が設定される。ここで、例えば、３コマ目の画像を選択し、テスト焼きプリントを指示する（Ｓ２）。この指示で、３コマ目の画像が、所定の条件で微調整された補正パラメータが設定されて、テスト焼きプリントが作成される。このテスト焼きプリントの作成は、他のオーダーのプリント処理が実行されている場合には、その終了後に実行されるか又はそのプリント処理を一時中断してテスト焼きプリントを割り込ませるように実行されるか適宜設計できる。ここでは、他のオーダーがプリント処理されていないものとし、テスト焼きプリントの指示で即座にテスト焼きプリントが実行されるものとして説明する。
【００４２】
テスト焼きプリント指示後、判定処理を中断状態にするために、中断指示を行う（Ｓ３）。この指示により、テスト焼きプリント対象の画像以降の画像データが記憶部６ｂに格納される（Ｓ４）。そして、判定処理済みのコマ画像分の画像データ及び補正パラメータはスプーラ６ａに格納される。スプーラ６ａに格納されると、図４のオーダー管理画面において、状態が「仮登録」として登録される。次いで、別のネガフィルムから画像を読み取り又はネットワーク経由で画像取得部２が取得したオーダー単位の画像データを選択し、判定処理を行う（Ｓ５）。この判定処理が終了すると、このオーダーの画像データ及び補正パラメータは、スプーラ６ａに格納される。そして、図４のオーダー管理画面に、状態が「プリント待ち」として登録される。
【００４３】
ステップＳ２のテスト焼きプリントの処理が終了すると、例えば、テスト焼きプリントがペーパー排出部１５から排出された後に、通知部１９は、テスト焼きプリントが終了した旨の終了情報を、画面上にポップアップ表示させる（Ｓ６）。このポップアップ表示は、プレジャッジ画面（図３参照）上に表示させてもよく、操作画面（図７参照）上に表示させても良い。また、上述の異なるオーダーの判定処理中にポップアップさせることも可能であり、その判定処理が終了するのを待って表示させるように構成してもよい。判定処理が終了した場合に終了情報をポップアップ表示させると、判定処理を邪魔せず効率よく判定処理できるので好ましい。なお、この通知部１９の処理は、必ず行われるように構成しなくても良い。
【００４４】
次に、別オーダーの判定処理が終了したら、中断されたオーダーの判定処理を再開するために再開指示を行う（Ｓ７）。この指示は、例えば、中断されたオーダーを選択することで実行される。この指示によって、記憶部６ｂに格納されている、中断されたオーダーの画像データが読み出される（Ｓ８）。ここで、読み出される画像データは、テスト焼きプリント対象の画像データ以降のものである。
【００４５】
そして、読み出された画像データについて、順次、判定処理を実行する（Ｓ９）。読み出された全ての画像データについて判定処理を実行したらこのオーダーに対する判定処理は終了する。判定処理が終了すると、画像データ及びその補正パラメータが、上述した「仮登録」状態のオーダーと関連付けられて、スプーラ６ａに格納され、そして、状態が「プリント待ち」に変わる。これにより、オーダー内で、中断された前後の画像データの関連付けができ、一つのオーダーとしてプリント処理が実行可能になる。
【００４６】
なお、ネガフィルムから画像データを読み取る場合に限らず、受付端末２０等からオーダー単位の画像データを取得し、そのオーダー単位の画像データをオペレータが任意に選択でき、判定処理を行えることはいうまでもない。
【００４７】
次に、図６を用いて、テスト焼きプリント対象の画像データ以外の画像データを判定処理した後に、テスト焼きプリント処理を実行して、中断・再開する場合の処理の手順を説明する。以下で、同一の符号を用いたものは上述したものと同じ処理であるので簡単に説明する。
【００４８】
操作画面（図７参照）でネガフィルムから画像データ読み取る処理を選択し、判定処理を実行する（Ｓ１）。テスト焼きプリントしたい画像について、入力操作部８を構成する専用キーボードの「パスキー」を選択する（Ｓ２０）。これにより、次のコマ画像について判定処理を行える。例えば、４コマ目の画像をテスト焼きプリントする場合、「パスキー」を選択する。そして、次のコマ画像の５コマ目の画像について判定処理する。
【００４９】
そして、他の画像データの全てについて判定処理する（Ｓ２１）。ついで、先ほど「パスキー」を選択した４コマ目の画像に戻り、テスト焼きプリント指示を行う（Ｓ２２）。
【００５０】
次に、テスト焼きプリント処理中に中断指示（Ｓ３）をし、この指示によって、テスト焼きプリント対象の画像データのみが記憶部６ｂに格納される（Ｓ２３）。そして、上述したと同様に判定処理済みの画像データ及び補正パラメータは、スプーラ６ａに格納される。スプーラ６ａに格納されると、オーダー管理画面において、状態が「仮登録」として登録される。
【００５１】
そして、別オーダーの判定処理を実行する（Ｓ５）。この判定処理が終了すると、このオーダーの画像データ及び補正パラメータは、スプーラ６ａに格納される。そして、オーダー管理画面に、状態が「プリント待ち」として登録される。
【００５２】
テスト焼きプリントが終了したら、終了情報が通知される（Ｓ６）。そして、中断されたオーダーを再開する場合に、中断されたオーダーを選択すると（Ｓ７）、テスト焼きプリント対象の画像データのみが記憶部６ｂから読み出され（Ｓ２４）、判定処理を実行する（Ｓ９）。判定処理が終了すると、画像データ及びその補正パラメータが、上述した「仮登録」状態のオーダーと関連付けられて、スプーラ６ａに格納され、そして、状態が「プリント待ち」に変わる。
【００５３】
以上の修理手順において、通知部１９は、テスト焼きプリントが終了したら、終了情報を通知するように構成したが、特にこれに限定されず、通知部１９は、テスト焼きプリントが装置外に排出されてから２０分間経過したら、終了情報をモニター７にポップアップ表示させるように構成してもよい。
【００５４】
＜具体的実施形態＞
ネガフィルムから画像を読み取る場合のオーダーについて説明をする。
【００５５】
図７に操作画面を示す。ここで、画像入力方法として、カラーネガ７１、プリント方式としてＰＪＰ７２（プレジャッジプリント方式を意味し、判定処理を実行する）を選択し、ネガフィルムをフィルムスキャナー１にセットし、プレスキャンを実行する。プレスキャンにより、荒い画質の画像データ（縮小画像、又はサムネイル画像）は、記憶部６ｂに格納される。そして、図３に示すように、サムネイル画像が、モニター７に６コマごと表示される。ここで、１コマごとに、補正パラメータを設定、プリント枚数、プリントサイズ等を設定する。通常、６コマ分の画像について判定処理が終了したら、次のページに切り替え７コマ目から１２コマ目の画像について同様に判定処理を行う。オーダー内の全画像データに対して判定処理が終了したら、「ＯＫ」３６（図３参照）をクリックして、本スキャンを実行し、本スキャンされた画像データ及び補正パラメータをオーダーデータとしてスプーラ６ａに格納する。これにより、このオーダーは、オーダー管理画面で状態が「プリント待ち」として登録される。
【００５６】
なお、判定処理済みの画面表示された６コマ分の画像を本スキャンして、その本スキャンされた画像データ及び補正パラメータをスプーラ６ａに格納するように構成してもよい。かかる場合、格納された６コマ分の画像データ及び補正パラメータは、オーダー管理画面において、例えば、状態が「判定処理中」として登録され、プリント処理の順番がきてもプリント処理されない状態として構成される。そして、残りの画像データについて、判定処理され、その画像データ及び補正パラメータが、それらと関連付けられてスプーラ６ａに格納されると、状態が「プリント待ち」に切り換わる。
【００５７】
この実施形態では、４コマ目の画像をテスト焼きプリントするものとして説明する。すなわち、４コマ目の画像をダブルクリック等して指定し、一コマ拡大表示にする。図８に一コマ拡大表示の例を示す。図８に示すように、４コマ目の画像が拡大されて表示され、テスト焼きプリントしたい領域を指定し（「領域指定」８１をクリック後にマウスで領域指定する）、テスト焼きプリント８２をクリックする。これにより、テスト焼きプリントのパターンが表示される。図９にこのテスト焼きプリントのパターンを示す。表示されたテスト焼きパターンで実行する場合、「ＯＫ」９１をクリックする。これにより、４コマ目の画像が本スキャンされ、テスト焼きプリントが実行される。
【００５８】
今、他のオーダーに対するプリント処理が行われていない場合には、本スキャンされた４コマ目の画像データが補正データ（テスト焼きプリントに関するデータ）と共に画像処理基板９に送られ、画像処理され、プリント用画像データが作成される。そして、順次、露光、現像、乾燥処理がなされる。かかる処理時間は、約５分であり、オペレータは、テスト焼きプリントの処理完了を待つ時間が無駄であるので、他のオーダーの判定処理を行う。
【００５９】
オペレータは、入力操作部８の専用キーボードの「中断キー」を選択する。これにより、判定処理が中断され、テスト焼きプリント対象以降の画像データが、記憶部６ｂに格納される。さらに、判定処理済みの画像が本スキャンされ、本スキャンされた画像データ及び補正パラメータがスプーラ６ａに格納される。これにより、図１０に示すように、中断されたオーダーは、受付ナンバー「Ｎｏ３１」、状態が「仮登録」としてオーダー管理画面に登録される。なお、本スキャンを実行せずに、プレスキャンの画像データをそのまま格納するように構成し、中断が再開されて、残りの画像についての本スキャンを実行する際に、一緒に本スキャンするように構成してもよい。
【００６０】
「中断キー」を選択したことにより、テスト焼きパターン表示の画面（図９）上に、判定処理が中断された旨の中断情報（例えば、「判定処理が中断されました」。（不図示））の表示がされる。そして、この表示から、オペレータは、操作画面（図７）に切り換えるように指示する。そして、オペレータは、別のオーダーを選択する。ネガフィルムから画像を読み取る場合、フィルムスキャナー１に新たに選択されたオーダーのネガフィルムをセットし、プレスキャンを実行し、判定処理を行うことができる。または、ネットワーク経由で受信したオーダーの画像データが選択可能であれば、そのオーダーを選択することもできる。新たに選択されたオーダーの判定処理が終了すると、画像データ及び補正パラメータは、オーダーデータとして、スプーラ６ａに格納され、オーダー管理画面に、受付ナンバーが「Ｎｏ３２」、状態が「プリント待ち」として登録される。
【００６１】
ところで、新しく選択されたオーダーのプレジャッジ処理中に、テスト焼きプリント処理が行われている。そして、ペーパー排出部１５からテスト焼きプリントが排出される際に、ペーパーセンサー１６がそれを検知し、その検知信号がセンサー制御部１７に送られ、センサー制御部１７が検知されたペーパーがテスト焼きプリントであるか否かを判定する。
【００６２】
そして、判定された結果が、テスト焼きプリントであれば、通知部１９が、予めメモリ（不図示）に格納されている終了情報を読み出し、ポップアップ表示を生成し、操作画面上（図７）に表示させる。図１１に終了情報をポップアップ表示させた画面の一例を示す。図１１に示すように、操作画面上に、終了情報（例えば、「テスト焼きプリントが終了しました。確認してください。中断したオーダーを選択しプレジャッジを完了してください。」）がポップアップ表示されているのが分かる。なお、新しい別のオーダーのプレジャッジ処理中にそのプレジャッジ画面上にポップアップ表示するように構成してもよく、さらに、センサー制御部１７によってテスト焼きプリントであると判定されてから１５分以降にオーダーとオーダーの判定処理の間に、操作画面上（図７）、又は、オーダー管理画面上（図４、図１０）にポップアップ表示するように構成してもよく、適宜設定可能である。
【００６３】
そして、オペレータは、テスト焼きプリントを確認して、中断されたオーダーを再開する指示を行う。オペレータは、オーダー管理画面（図１０）で「仮登録」のオーダーをダブルクリックして選択し、これにより自動的にプレジャッジ画面に切り変わる。この際に、記憶部６ｂから、このオーダーのテスト焼きプリント対象画像以降の画像データを読み出し、プレジャッジ画面上（図３参照）に表示させて、テスト焼きプリントから決定した補正値（色、濃度値）を入力して判定処理を行う。その際、そのオーダーのネガフィルムをフィルムスキャナー１にセットする。
【００６４】
判定処理が終了したら、「ＯＫ」３６をクリックして、本スキャンを実行し、この本スキャンされた画像データ及び補正パラメータをスプーラ６ａの「仮登録」オーダーのデータに関連付けて格納する。これにより、オーダー管理画面の中断されたオーダーの状態は、「プリント待ち」に切り換わる（不図示）。そして、プリント処理の順番がきたら、プリント処理が実行されるように構成される。
【００６５】
以上の実施の形態において、ネガフィルムから画像を読み取る場合に、プレスキャンを実行し、プレスキャンされた画像データに基づいて判定処理し、判定処理終了後本スキャンして画像データを読み取るように説明したが、特にこれに限定されず、判定処理前に全画像に対して本スキャンを実行するように構成してもよい。かかる場合、上述のように、中断処理した際に、判定処理済みのコマ画像に対して本スキャンを実行する必要がない。
【００６６】
また、以上の実施の形態において、テスト焼きプリント処理を実行した際及び判定処理を中断した際に、他のオーダーがプリント処理されていない場合について説明したが、他のオーダーがプリント処理されていて、さらに「プリント待ち」状態のオーダーが存在する場合は、中断されたオーダーは、受付ナンバーが最後尾となるように登録されることは言うまでもない。また、かかる場合において、テスト焼きプリントは、プリント処理待ちのオーダーの間に割り込み処理されることになる。そして、テスト焼きプリントが装置外に排出された場合に、オーダーとオーダーの処理（判定処理又はプリント処理等）の切り替えの際に、モニター７上に終了情報がポップアップ表示される。
【００６７】
＜別実施形態＞
上述の実施形態において、任意のオーダーの判定処理中にテスト焼きプリント処理を実行して、そのテスト焼きプリント処理中に、途中の判定処理を中断するように構成した。
【００６８】
しかし、判定処理が未処理の画像データ中に、テスト焼きプリント対象のコマ画像以外の画像データも含まれている。かかる場合に、テスト焼きプリント対象のコマ画像以外の画像データについて判定処理を行った後に、テスト焼きプリントを実行すれば、判定処理を中断して再開した場合に、テスト焼きプリント対象の画像データのみの判定処理を行うだけでよい。
【００６９】
すなわち、具体的には以下の処理手順となる。例えば、４コマ目の画像をテスト焼きプリント対象に決めた場合に、その４コマ目の画像に対して「パスキー」を選択する。ここで、「パスキー」で指示された４コマ目の画像は、テスト焼きプリント対象画像として識別される。ついで、５コマ目以降の全ての画像について判定処理を行う（ページを増加して７コマ目以降の画像に対しても行う）。
【００７０】
そして、テスト焼きプリント対象画像として識別された４コマ目の画像を再度表示させ、上述したようにテスト焼きプリント処理を実行させる。
【００７１】
このテスト焼きプリント処理中に、「中断キー」を指定して、かかる判定処理を中断する。この中断指示により、４コマ目の画像データが記憶部６ｂに格納される。そして、操作画面で、次のオーダーを選択し、判定処理を行う。そして、判定処理が終了し、操作画面に切り換わると、上述したと同様に終了情報がポップアップ表示される。
【００７２】
そして、オペレータは、中断されたオーダーを選択し、途中の判定処理を再開する。すなわち、テスト焼きプリント対象画像の４コマ目の画像データのみが記憶部６ｂから読みだされ、判定処理される。
【００７３】
また、上述の実施形態において、ネガフィルムから画像データを取得するオーダーの場合について説明したが、特にこれに限定されるものではなく、受付端末２０で注文を受け付けた記録メディアからのプリント処理のオーダー等についても同様に適用されることはいうまでもない。すなわち、画像取得部２で取得された画像データが、記憶部６ｂに蓄積されていれば、蓄積された順番に従って、或いは任意のオーダーを選択し、プレジャッジ画面に移行して判定処理を実行できる。
【００７４】
さらに、判定処理済のオーダーについても、再度、判定処理する場合に、スプーラ６ａに格納されたオーダーをオーダー管理画面（図４参照）から選択し、プレジャッジ画面に移行して判定処理を行うように構成できる。
【００７５】
また、上記の実施形態において、テスト焼きプリント対象の画像を一つのみとした例を説明したが、特にこれに限定されず、複数の画像についてテスト焼きプリント処理を実行するように構成できることはいうまでもない。
【００７６】
また、上記の実施形態において、中断されたオーダーを選択する場合に、オーダー管理画面上の「仮登録」オーダーをダブルクリックして選択する方法を説明したが、特にこれに限定されず、操作画面（図７）或いはプレジャッジ画面（図３）上で、中断されたオーダーを選択できるように、「仮登録オーダー」ボタンをクリックして仮登録オーダーを表示させ、その中から適宜選択できるように構成してもよい。
【図面の簡単な説明】
【００７７】
【図１】写真処理システムの構成を示す概念図
【図２】写真処理装置の機能を示すブロック図
【図３】プレジャッジ画面の構成例を示す図
【図４】オーダー管理画面の構成例を示す図
【図５】判定処理の中断再開の手順を示すフローチャート
【図６】判定処理の中断再開の手順を示すフローチャート
【図７】操作画面の構成例を示す図
【図８】一コマ拡大画像の画面の構成例を示す図
【図９】テスト焼きプリントパターンの画面の構成例を示す図
【図１０】オーダー管理画面の一例を示す図
【図１１】終了情報のポップアップ表示画面の構成例を示す図
【符号の説明】
【００７８】
１        フィルムスキャナー
２        画像取得部
３        画像通信部
４        画像判定部
５        オーダー制御部
５ａ      オーダー登録部
５ｂ      プリント処理制御部
６        格納手段
６ａ      スプーラ
６ｂ      記憶部
１２      露光エンジン
１６      ペーパーセンサー
１７      センサー制御部
１８      判定処理中断手段
１９      通知部
２０      受付端末
４０      記録装置
１００    写真処理装置
【図１】
0004714846.tif 000002
【図２】
0004714846.tif 000003
【図３】
0004714846.tif 000004
【図４】
0004714846.tif 000005
【図５】
0004714846.tif 000006
【図６】
0004714846.tif 000007
【図７】
0004714846.tif 000008
【図８】
0004714846.tif 000009
【図９】
0004714846.tif 000010
【図１０】
0004714846.tif 000011
【図１１】
0004714846.tif 000012